(57)【要約】【課題】十分な量の外気を導入することのできるヘアドライヤーのフードを提供することを目的とする。【解決手段】本発明は、手持ち型のヘアドライヤーのフードにおいて、ドライヤーの風吹き出し口に取り付けられるようになっている第１外筒部、この第１外筒部の先端側に後端側が複数枚のリブにより取り付けられ、直径が前記第１外筒部より小さい内筒部、およびこの内筒部の先端側に後端側が複数枚のリブにより取り付けられ、直径が前記内筒部より大きい第２外筒部を備え、前記第１外筒部、内筒部および第２外筒部は同軸に配置されており、前記第１外筒部の先端と前記第２外筒部の後端とは所定の間隔隔てられており、前記第１外筒部は、後端側から先端側に向かって直径が徐々に小さくされており、前記第１外筒部の先端の直径が、前記第２外筒部の後端の直径より小さくされていることを特徴とする。【選択図】図２
2008200429.tif 000002
【特許請求の範囲】
【請求項１】
手持ち型のヘアドライヤーのフードにおいて、ドライヤーの風吹き出し口に取り付けられるようになっている第１外筒部、この第１外筒部の先端側に後端側が複数枚のリブにより取り付けられ、直径が前記第１外筒部より小さい内筒部、およびこの内筒部の先端側に後端側が複数枚のリブにより取り付けられ、直径が前記内筒部より大きい第２外筒部を備え、前記第１外筒部、内筒部および第２外筒部は同軸に配置されており、前記第１外筒部の先端と前記第２外筒部の後端とは所定の間隔隔てられており、前記第１外筒部は、後端側から先端側に向かって内径が徐々に小さくされており、前記第１外筒部の先端の内径が、前記第２外筒部の後端の内径より小さくされていることを特徴とするヘアドライヤーのフード。
【請求項２】
前記第１外筒部の先端の内径をＡ、前記第２外筒部の後端の内径をＢとすると、Ａ／Ｂが０．９５以下である請求項１のヘアドライヤーのフード。
【請求項３】
前記内筒部の後端と、ドライヤーの吹き出し口が前記第１外筒部に取り付けられたときの該吹き出し口の先端との間の距離ｈが５ｍｍ以上である請求項１または２のヘアドライヤーのフード。
【請求項４】
前記内筒部は、その後端側が前記第１外筒部の先端側と間隔を隔てた状態で重なり合っており、その重なり合った部分の長さｅが３ｍｍ以上である請求項１〜３のいずれかのヘアドライヤーのフード。
【請求項５】
前記第１外筒部の先端と前記第２外筒部の後端の間の間隔ｆが５〜１５ｍｍである請求項１〜４のいずれかのヘアドライヤーのフード。
【請求項６】
前記内筒部の前端側が前記第２外筒部の後端側と間隔を隔てた状態で重なり合っており、その重なり合った部分の長さｇが５ｍｍ以上である請求項１〜５のいずれかのヘアドライヤーのフード。
【発明の詳細な説明】
【技術分野】
【０００１】
本発明は、ヘアドライヤーのフードに関し、更に詳細には、ヘアドライヤーから送られて来た熱風に外気を導入することのできるヘアドライヤーのフードに関する。
【背景技術】
【０００２】
上記したように、ヘアドライヤーからの熱風に外気を導入することにより、熱風の温度や湿度を緩和調整して髪に吹き付けることができ、髪を痛めることが少なくなる。
【０００３】
上記した種類のフード（ノズル）を備えたヘアドライヤーとしては、実用新案登録第３０１４２９９号公報に開示したものが知られている。
【０００４】
この公報に開示されたヘアドライヤーは、ドライヤー本体の一端に円筒形の吹出口が設けられており、この吹出口に着脱自在に装着される収束ノズルを備えているヘアドライヤーであって、収束ノズルは、断面円形の入口筒と、偏平筒形の出口筒と、入口筒と出口筒との間のノズル内空間をくさび状に絞るノズル筒とを有し、ノズル筒は、出口筒の側へ向かって先すぼまり状に傾斜する一対の絞り壁と、両絞り壁に連続する一対の湾曲壁とからなり、両絞り壁は湾曲壁との境界においてノズル内方へ段落ち状に凹み形成されて、その外面に外気導入凹部を形成しており、両絞り壁の先端に突設した導風壁を出口筒の内面内方に位置させて、両者間に外気導入凹部と出口筒の内部空間を連通する吸気通路を区画した収束ノズルを備えている。この構成によれば、一次吹出風が絞り壁で偏平に絞られる間に、吸気通路と外気導入凹部を介して外気を導入し、一次吹出風に合流させることができ、ある程度の外気を導入することができる。
【特許文献１】実用新案登録第３０１４２９９号公報
【発明の開示】
【発明が解決しようとする課題】
【０００５】
しかしながら、上述の従来のヘアドライヤーのフード（ノズル）にあっては、フードの後縁と絞り壁の前縁とが重なり合っているので、外気の導入力は、一次吹出風により発生される負圧のみであるので、吸引される外気の量が十分でないという欠点がある。他の従来のヘアドライヤーのフード（ノズル）にあっても同様である。
【０００６】
そこで、本発明は、十分な量の外気を導入することのできるヘアドライヤーのフードを提供することを目的とするものである。
【課題を解決するための手段】
【０００７】
上記課題は、本発明の下記（１）〜（６）の構成のいずれかによるヘアドライヤーのフードにより解決することができる。
（１）  手持ち型のヘアドライヤーのフードにおいて、ドライヤーの風吹き出し口に取り付けられるようになっている第１外筒部、この第１外筒部の先端側に後端側が複数枚のリブにより取り付けられ、直径が前記第１外筒部より小さい内筒部、およびこの内筒部の先端側に後端側が複数枚のリブにより取り付けられ、直径が前記内筒部より大きい第２外筒部を備え、前記第１外筒部、内筒部および第２外筒部は同軸に配置されており、前記第１外筒部の先端と前記第２外筒部の後端とは所定の間隔隔てられており、前記第１外筒部は、後端側から先端側に向かって内径が徐々に小さくされており、前記第１外筒部の先端の内径が、前記第２外筒部の後端の内径より小さくされていることを特徴とするヘアドライヤーのフード。
（２）  前記第１外筒部の先端の内径をＡ、前記第２外筒部の後端の内径をＢとすると、Ａ／Ｂが０．９５以下である上記（１）のヘアドライヤーのフード。
（３）  前記内筒部の後端と、ドライヤーの吹き出し口が前記第１外筒部に取り付けられたときの該吹き出し口の先端との間の距離ｈが５ｍｍ以上である上記（１）または（２）のヘアドライヤーのフード。
（４）  前記内筒部は、その後端側が前記第１外筒部の先端側と間隔を隔てた状態で重なり合っており、その重なり合った部分の長さｅが３ｍｍ以上である上記（１）〜（３）のいずれかのヘアドライヤーのフード。
（５）  前記第１外筒部の先端と前記第２外筒部の後端の間の間隔ｆが５〜１５ｍｍである上記（１）〜（４）のいずれかのヘアドライヤーのフード。
（６）  前記内筒部の前端側が前記第２外筒部の後端側と間隔を隔てた状態で重なり合っており、その重なり合った部分の長さｇが５ｍｍ以上である上記（１）〜（５）のいずれかのヘアドライヤーのフード。
【発明の効果】
【０００８】
本発明のヘアドライヤーのフードにおいては、上記したように、第１外筒部と第２外筒部が軸方向に間隔を置いて配置されているので、ヘアドライヤーからの熱風が周囲の外気に直接触れ、十分な量の外気を導入することができ、熱風の温度と湿度の満足できる緩和調整が可能となる。
【発明を実施するための最良の形態】
【０００９】
以下、添付図面を参照しつつ、本発明の実施の態様によるヘアドライヤーのフードについて説明する。
本発明の実施の態様によるヘアドライヤーのフード１０は、図１および図２に示したように手持ち型のドライヤーＤの風吹き出し口Ｄ１に取り付けられて使用される。
【００１０】
上記フード１０は、ドライヤーの風吹き出し口に取り付けられるようになっている第１外筒部１２、この第１外筒部１２の先端１２ａ側に後端１６ｂ側が複数枚のリブ１４により取り付けられ、直径が前記第１外筒部１２より小さい内筒部１６、およびこの内筒部１６の先端１６ａ側に後端２０側が複数枚のリブ１８により取り付けられ、直径が前記内筒部１６より大きい第２外筒部２０を備えている。前記第１外筒部１２、内筒部１６および第２外筒部２０は同軸に配置されている。前記第１外筒部１２の先端１２ａと前記第２外筒部２０の後端２０ｂとは所定の間隔ｆ隔てられており、この間隔ｆは例えば５〜１５ｍｍであることが好ましい。前記間隔ｆが、５ｍｍ未満であると、外気の取り込みが十分でなく、熱風の温度が好ましい状態で下がらず、１５ｍｍを越えると、風の一部が第２外筒部２０の外へ逃げてしまうという傾向がある。
【００１１】
前記第１外筒部１２は、後端１２ｂ側から先端１２ａ側に向かって内径が徐々に小さくされており、すなわちテーパーが付けられており、前記第１外筒部１２の先端１２ａの内径が、前記第２外筒部２０の後端２０ｂの内径より小さくされている。前記第１外筒部１２の先端１２ａの内径Ａは、４０〜６０ｍｍ程度が好ましく、そのテーパーは１〜１５度、特に８〜１２度が好ましい。第２外筒部２０は、内径Ｂが一定の円筒形であることが好ましく、その内径Ｂは４３〜６４    ｍｍ程度であることが好ましい。ここで、第１外筒部１２にテーパーを付けるのは、この第１外筒部と内筒部１６の間で、風路を一旦狭めて、風を内筒部１６側へ寄せることにより、風の一部が第２外筒部２０の外へ逃げてしまうのを抑制するためである。上記Ａ／Ｂの値は、０．９５以下であることが好ましい。Ａ／Ｂの値が０．９５を越えると、間隔ｆの値にもよるが、風の一部が第２外筒部２０の外へ逃げてしまうという傾向がある。Ａ／Ｂの値は０．５以上であることが好ましい。前記内筒１６は、外径が１０〜４０ｍｍで、長さが１０〜４０ｍｍ程度であることが好ましい。第１外筒部１２の厚さは２．５〜３．５ｍｍでほぼ一定である。この厚さは、場合によっては、後端から先端に向かって少しずつ薄くなってもよい。内筒部１６の厚さは２．５ｍｍ程度でほぼ一定である。そして、第２外筒部２０の厚さは２．５〜３．０ｍｍでほぼ一定であってよいが、後端から先端に向かって少しずつ薄くするのが好ましい。
【００１２】
前記内筒部１６の後端１６ｂと、ドライヤーＤの吹き出し口Ｄ１が前記第１外筒部１２に取り付けられたときの該吹き出し口Ｄ１の先端Ｄａとの間の距離ｈは５ｍｍ以上であることが好ましい。この距離ｈが５ｍｍ未満になると、ヘアドライヤーからの熱風により、内筒部１６の後端１６ｂ側が溶けだしてしまう恐れがある。この距離ｈの上限は特にないが、５０ｍｍ程度である。この距離ｈの特に好ましい値は、８〜１５ｍｍ程度である。
【００１３】
前記内筒部１６は、その後端１６ｂ側が前記第１外筒部１２の先端１２ａ側と間隔を隔てた状態で重なり合っており、それらの間に第１外側流路ｆ１が形成されており、その重なり合った部分の長さｅは３ｍｍ以上であることが好ましい。長さｅが３ｍｍ未満であると、第１外筒部１２にテーパーを付けて、内筒部１６との間の風路を狭めた効果が十分で無くなる。この長さｅは、金型での成形を考えると２０ｍｍ程度を上限とすることが好ましい。
前記内筒部の前端側が前記第２外筒部の後端側と間隔を隔てた状態で重なり合っており、それらの間に第２外側流路ｆ２が形成されており、その重なり合った部分の長さｇは、５ｍｍ以上であることが好ましい。長さｇが５ｍｍ未満であると、第２外側流路ｆ２に十分に風が入らず、風の一部が第２外筒部２０の外へ逃げてしまう傾向がある。この長さｇの上限は、金型での成形を考えると４０ｍｍ程度である。この長さｇは、特に８〜１２ｍｍ程度が好ましい。内筒部１６の内部は、内側流路ｆとなっている。このように内側流路を設けた理由は、ドライヤーから吹き出た熱風を、収束し、部分的に強い風を髪の毛に送るためや、フードの構造を強化するためである。
【００１４】
本発明の実施の形態によるフード１０は、以上の構成により、十分に外気を取り入れ、効率よく熱風の温度を下げ、湿度を調整することができる。
【図面の簡単な説明】
【００１５】
【図１】本発明の実施の形態によるヘアドライヤーのフードをヘアドライヤーの吹き出し口の先端に取り付けた状態で示した側面図である。
【図２】図１のフードとヘアドライヤーの吹き出し口の断面図である。
【図３】図１に示したフードの斜視図である。
【図４】図１に示したフードの正面図である。
【図５】図１に示したフードの側面図である。
【図６】図１に示したフードの背面図である。
【図７】図１に示したフードの拡大断面図であり、リブを省略して示した図である。
【符号の説明】
【００１６】
Ｄ    ヘアドライヤー
Ｄ１  ヘアドライヤーの吹き出し口
Ｄａ  吹き出し口の先端
１０  フード
１２  第１外筒部
１４  リブ
１６  内筒部
１８  リブ
２０  第２外筒部
ｆ１  第１外側流路
ｆ２  第２外側流路
ｆ３  内側流路
【図１】
2008200429.tif 000003
【図２】
2008200429.tif 000004
【図３】
2008200429.tif 000005
【図４】
2008200429.tif 000006
【図５】
2008200429.tif 000007
【図６】
2008200429.tif 000008
【図７】
2008200429.tif 000009